(57)【要約】【課題】  カセット等を使用したカット用紙の供給手段において、駆動する回転軸を必要とせず、単純な構成で、安価に作成が可能で、さらにメンテナンス性に優れた着脱自在の簡易ピックアップローラを提供する。【解決手段】  用紙を加工する加工機の本体側のフィードローラＦと接触する間接ローラ１、間接ローラ１に接触するピックアップローラ２及び前記間接ローラ１とピックアップローラ２を取り付けるボックス体３からなり、前記ボックス体３をフィードローラＦの回転軸Ｘに取り付けることにより間接ローラ１がフィードローラＦに接触してその回転駆動をピックアップローラ２へ伝達する。【選択図】        図１
2006131413.tif 000002
【特許請求の範囲】
【請求項１】
積載された複数枚のカット用紙を最上部からピックアップローラ及びフィードローラの組み合わせにより一枚ずつ順次繰り出すカット用紙の供給手段において、本体側のフィードローラＦと接触する間接ローラー１、間接ローラに接触するピックアップローラ２及び前記間接ローラ１と前記ピックアップローラ２を取り付けるボックス体３からなる簡易ピックアップローラであり、前記ボックス体３に設けた結合部をフィードローラＦの回転軸Ｘに取り付け結合することにより間接ローラ１がフィードローラＦに接触してその回転駆動をピックアップローラ２へ伝達することを特徴とした簡易ピックアップローラ。
【発明の詳細な説明】
【技術分野】
【０００１】  本発明は、オフセット印刷機、オンデマンド印刷機、コピー機、ファックス、プリンタ、紙折り機等、カット用紙を一枚ずつ繰り出し、下流の工程で前記カット用紙に加工を施すシステムに関する物である。
詳しくは上記各システムにおけるカット用紙の供給手段、即ち積載された複数枚のカット用紙を最上部から下流の工程へ一枚ずつ用紙を順次繰り出すカット用紙の供給手段に関する。
【背景技術】
【０００２】  従来、カセット等に積載したカット用紙をフィードローラとピックアップローラの組み合わせにより給紙する手段では、実開平６−８７３４８号に記載されるように、各々が独自の回転軸により回転駆動する手段が採用されていた。
【特許文献１】実開平６−８７３４８号公報
【発明の開示】
【発明が解決しようとする課題】
【０００３】  解決しようとする課題は、前記フィードローラとピックアップローラの組み合わせでは構造が複雑で大掛かりなものになるという点である。
【課題を解決するための手段】
【０００４】  本発明の簡易ピックアップローラは、積載された複数枚のカット用紙を最上部からピックアップローラ及びフィードローラの組み合わせにより一枚ずつ順次繰り出すカット用紙の供給手段において、本体側のフィードローラＦと接触する間接ローラー１、間接ローラに接触するピックアップローラ２及び前記間接ローラ１と前記ピックアップローラ２を取り付けるボックス体３からなる簡易ピックアップローラであり、前記ボックス体３の結合部をフィードローラＦの回転軸Ｘに取り付け結合することにより間接ローラ１がフィードローラＦに接触してその回転駆動をピックアップローラ２へ伝達することを特徴としている。
なお前記フィードローラは、カット用紙の二枚差しを防ぐために、捌き板や捌きローラと組み合わせたものの何れでも構わない。
【発明の効果】
【０００５】  本発明の簡易ピックアップローラは、ピックアップローラに独自の回転軸を設ける必要がないため、構造が簡単で済むため安価に製造でき、さらにメンテナンス性に優れるという利点がある。
【発明を実施するための最良の形態】
【０００６】  図１（Ａ）及び（Ｂ）は本発明の基本的な構成からなる簡易ピックアップローラをフィードローラに取り付けて結合した状態の要部側面図と要部斜視図である。図２（Ａ）及び（Ｂ）は
ボックス体に組み込まれた状態の斜視図及びボックス体の変形例の斜視図である。図３（Ａ）及び（Ｂ）は間接ローラの変形例を示す要部側面図である。【０００７】  以下図面に沿って本発明を説明する。
本発明の簡易ピックアップローラは図１（Ａ）に示すように、フィードローラＦ、間接ローラ１、ピックアップローラ２及び同図（Ｂ）に一点鎖線で示すところのボックス体３から構成されている。カセット内には同図（Ａ）に示すように、バネ１０により押し上げられる構造に設けられた底板１１が側板に設けられた支点１２を中心に回転可能に設置されている。そして最上部の用紙Ｐから一枚ずつを送り出す原理を説明すると、まずフィードローラＦが図中矢印方向に回転を始めると接触している間接ローラ１が逆方向に回転する。それと同時に間接ローラ２と接触しているピックアップローラ２が間接ローラ１と逆方向、即ちフィードローラＦと同じ方向に回転し始める。これら各ローラの回転動作は同時に開始されるためカセットに積載された用紙Ｐの最上部の用紙Ｐは、ピックアップローラ２に送り出されると同時にフィードローラＦにくわえられ、捌き板４との間を強制的に引っぱり出されるのである。【０００８】  図１（Ｂ）で一点鎖線で示されるボックス体３は具体的には例えば図２（Ａ）に示す形状からなる。本発明の簡易ピックアップローラＺは少なくとも間接ローラ１、ピックアップローラ２及びフィードローラＦの回転軸Ｘに結合させるための、例えばスリット部分等を有するボックス体３からなるが、必要に応じてスリット６を他の結合形態に代えたり、或いは各ローラがスリップすることがないようにバネ５等を設けても構わない。【０００９】  ボックス体３に関しては様々な形状が採用可能であるが、要はフィードローラＦに付設するための部分（例えばスリット６）が設けてあり、間接ローラ１とピックアップローラ２がお互いに接触して回転可能に取り付けられていればよい。前記スリット６は図１（Ｂ）で一点鎖線で示されると共に図２（Ａ）に示すように、フィードローラＦの回転軸Ｘにスリット部分を上から引っかけるだけの構造でも構わないが、図２（Ｂ）に示すように、逆に下から受ける形態でも構わない。もちろん他の形態でも構わず、結合後は回転軸Ｘから容易に外れてしまうことがないような様々な形態が選択可能である。【００１０】  なお間接ローラ１とピックアップローラ２の径の大きさや数に制限はない。
例えば図３（Ａ）に示すように、間接ローラ１が複数設けられていても構わず、さらに同図（Ｂ）に示すように、間接ローラの径が他のローラより大きくても構わない。同様にピックアップローラ２の径の大きさにも制限はないが、好ましくはフィードローラＦの径よりも若干小さく設定すると至便である。その場合、例えば図１（Ａ）で説明すると、ピックアップローラ２の回転がフィードローラＦの回転より若干早くなるため、フィードローラＦが早めに押されて来る用紙Ｐを効率よく引き込むことができる。
また、間接ローラ１の径は小さいほどスペースを取らず、コンパクトに収めることができより効率的である。
前記効率の良いローラ径の関係は、
フィードローラＦ≧ピックアップローラ２＞間接ローラ１
である。
【図面の簡単な説明】
【００１１】
【図１】  （Ａ）及び（Ｂ）は本発明の基本的な構成からなる簡易ピックアップローラをフィードローラに取り付けた状態の要部側面図と要部斜視図である。
【図２】  （Ａ）及び（Ｂ）はボックス体に組み込まれた状態の斜視図及びボックス体の変形例の斜視図である。
【図３】  図３は（Ａ）及び（Ｂ）は間接ローラの変形例を示す要部側面図である。
【符号の説明】
【００１２】Ｐ  用紙
Ｋ  カセット
Ｆ  フィードローラ
Ｘ  フィードローラの回転軸
Ｚ  簡易ピックアップローラ
１  間接ローラ
２  ピックアップローラ
３  ボックス体
４  捌き板
５、１０  バネ
６  スリット
１１  底板
１２  支点
【図１】
2006131413.tif 000003
【図２】
2006131413.tif 000004
【図３】
2006131413.tif 000005